(57)【要約】【課題】設計の自由度を低下させることなく、プラズマディスプレイテレビの大型化に対応し、電磁妨害のシールドを少ないビスの締結本数で構成し、プラズマディスプレイテレビの簡素化を提供する。【解決手段】前カバー１０１に設けられた回路ユニットとの共締め締結用ボス部１１０１前側に金型スライド部１１０２を設け、前ガラス１０２及びシールド（上）４０３を差し込み弾接固定し、さらに前カバー１０１に設けた爪部８０１を、シールド（横）４０３及びシールド（上）４０３及びシールド（下）４０５に弾接固定することにより前パネル１０２とシールド（横）４０１及びシールド（上）４０３、シールド（下）４０５を導通させシールドユニットを一体的に連繁した構成とした。【選択図】図１２
2005331815.tif 000002
【特許請求の範囲】
【請求項１】
シールド保持装置にプリント基板保持装置の外周に設けられた締結用構造部と直接締結される構造を設けること特徴とするシールド装置を有する映像表示装置。
【請求項２】
前記プリント基板保持装置が架脚台の一部とビス締結され、さらに前記架脚台が前記シールド装置とビス締結することを特徴とする映像表示装置。
【請求項３】
前記プリント基板保持装置の上端部に設けた梁状構造部に、前記シールド部材に設けた架爪構造部を引掛けて仮固定する構造を設けることを特徴とする請求項２記載の映像表示装置。
【請求項４】
カバーに設けられた前記プリント基板保持装置との共締め締結用ボス部前側にスライド構造を設け、前記シールド部材を差し込み弾接固定する構造を設けることを特徴と請求項２記載のする映像表示装置。
【請求項５】
前記シールド装置の横用部材に爪部を設け、前記シールド装置の上下用部材に溝部を設け、各部材が爪部及び溝部にて弾接し保持されることを特徴とする請求項２記載の映像表示装置。
【請求項６】
前記横用部材及び前記上下用部材の間に前記シールド部材を挟み込むことを特徴とする請求項５記載の映像表示装置。
【請求項７】
前記シールド部材間を点接触させ、接触圧を高めて導通させることを特徴とする請求項３乃至６のいずれかに記載の映像表示装置。
【発明の詳細な説明】
【技術分野】
【０００１】
本発明は、映像表示装置に関するものである。
【背景技術】
【０００２】
従来、筐体を構成する構造として、シールド構造を改善することにより、安価にプラズマディスプレイ装置が得られるようにするものであった。（特許文献１参照）
図１５はプラズマディスプレイテレビの三面図で、図１５（ａ）は上面図、図１５（ｂ）は側面図、図１５（ｃ）は背面図である。また、図１６には従来のプラズマプラズマディスプレイテレビ従来の構造を示し、図１６（ａ）は側面から見た部品取り付け図、図１６（ｂ）は側面図、図１６（ｃ）は上面から見た部品取り付け図、図１６（ｄ）は上面図、図１６（ｅ）は背面図である。そして、図１７は従来のプラズマプラズマディスプレイテレビの側面から見た上部端点の拡大図を示す。図１７おいて、前面側に発光パネル２０１が配置されかつ背面側に発光パネル２０１に信号を印加して表示を行う回路基盤２０３が配置される金属製のベース２０２と、このベース２０２の回路基盤２０３が配置された背面側を覆うように配設した金属製の後カバー１０３と、この後カバー１０３とともに筐体を構成する前面枠１０５とを備え、ベース２０２の外周部にボス部１１０１を設け、そのボス部１１０１に後カバー１０４を電気的に接触させて取り付けることにより、前記ベース２０２の外周部と前記後カバー１０３の外周部とを電気的かつ機械的に接続してシールド構造を構成したものである。
【特許文献１】特開２００４−６９８８８号公報
【発明の開示】
【発明が解決しようとする課題】
【０００３】
しかしながら、シールド構造によるプラズマディスプレイの設計の自由度の制限や大型化に伴うプラズマディスプレイ装置の剛性の低下、またビスなどによる締結部の増加やシールド部品の増加に伴いプラズマディスプレイ装置が複雑化する課題がある。
【課題を解決するための手段】
【０００４】
本願第一の発明の映像表示装置は、シールド保持装置にプリント基板保持装置の外周に設けられた締結用構造部と直接締結される構造を設けるシールド装置をもつものである。
【０００５】
本願第二の発明の映像表示装置は、本願第一の発明のシールド装置に加え、前記プリント基板保持装置が架脚台の一部とビス締結され、さらに前記架脚台が前記シールド装置とビス締結するものである。
【０００６】
本願第三の発明の映像表示装置は、本願第二の発明の映像表示装置に加え、前記プリント基板保持装置の上端部に設けた梁状構造部に、前記シールド部材に設けた架爪構造部を引掛けて仮固定する構造を設けるものである。
【０００７】
本願第四の発明の映像表示装置は、本願第二の発明の映像表示装置に加え、カバーに設けられた前記プリント基板保持装置との共締め締結用ボス部前側にスライド構造を設け、前記シールド部材を差し込み弾接固定する構造を設けるものである。
【０００８】
本願第五の発明の映像表示装置は、本願第二の発明の映像表示装置に加え、前記シールド装置の横用部材に爪部を設け、前記シールド装置の上下用部材に溝部を設け、各部材が爪部及び溝部にて弾接し保持されるものである。
【０００９】
本願第六の発明の映像表示装置は、本願第五の発明の映像表示装置に加え、前記横用部材及び前記上下用部材の間に前記シールド部材を挟み込むものである。
【００１０】
本願第七の発明の映像表示装置は、本願第三乃至六の発明の映像表示装置のいずれかに加え、前記シールド部材間を点接触させ、接触圧を高めて導通させるものである。
【発明の効果】
【００１１】
従来の締結用別部材との共締め構造によって生じていた前記締結用別部材による制約を受けない為、映像を映し出す発光パネル以上の大きさに、映像を透過させ電磁波を遮断する前ガラスを保持する金属性の枠を拡大でき、設計の自由度があがる。また、シールドの拡大においても映像表示装置の剛性を損なわないという作用を有する。加えて、ビス等の締結部品を使用が減るので映像表示装置の簡素化が図れる。そして、電磁波の影響を低減することができる。
【発明を実施するための最良の形態】
【００１２】
以下本発明を実施するための最良の形態について、図面を参照しながら説明する。
【００１３】
（実施の形態１）
図１は、本実施の形態におけるシールドユニットと回路ユニットを搭載したプラズマディスプレイテレビの三面図を示す。図１（ａ）は上面図、図１（ｂ）は側面図、図１（ｃ）は正面図を示す。
【００１４】
また、図２は、本実施の形態の回路ユニットを搭載したプラズマディスプレイテレビの構成を示す。図２（ａ）は上面から見た部品取り付け図、図２（ｂ）は上面図、図２（ｃ）は背面図、図２（ｄ）は側面図、図２（ｅ）は側面から見た部品取り付け図である。図２において、ベース２０２に発光パネル２０１を熱伝導性両面デープ等で貼付け、ベース２０２に回路基板２０３及びブラケット２０４をビス２０５によって機械的かつ電気的に取付け、ブラケット２０４の内側に凸形状部備えた台２０７を挿入し取付け、回路ユニット２０６を電気的に一体的に連繁し自立させる構成とした。
【００１５】
かかる構成によれば、シールドの拡大においても剛性を損なわない。
【００１６】
しかし、本構成単独では、発光パネル２０１及び回路基板２０３より電磁波を発生する為、シールドが必要となる。以下、シールドの構成を説明する。
【００１７】
図３は、本実施の形態における前パネルの外観を示す。図３（ａ）は上面から見た時の前ガラスと前ガラスの端の拡大した図、図３（ｂ）は側面から見た時の前ガラスと前ガラスの上端及び下端の拡大した図、図３（ｃ）は前ガラスの正面図である。図３において、前パネル１０２表面に導電性蒸着層３０１を設け、導電テープ３０２にて端面処理をすることにより、導電テープ３０２の範囲で導通させることによりシールド効果を有する。
【００１８】
また、図４は、本発明のシールドユニットの構成を示す。図４（ａ）は側面取り付け図、図４（ｂ）は側面図、図４（ｃ）はシールドユニットを垂直方向に切った時の断面図、図４（ｄ）は上面から見た部品取り付け図、図４（ｅ）は上面図、図４（ｆ）は背面図である。図４において、前パネル１０２に、シールド（上）４０３及びシールド（下）４０５を差込み、後側よりシールド（横）４０１にて押え、爪部４０２を溝部４０４及び４０６に弾接固定させることにより、前パネル１０２とシールド（横）４０１及びシールド（上）４０３、シールド（下）４０５を導通させシールドユニットを一体的に連繁した構成とした。
【００１９】
上記構成によれば、シールドの拡大においても剛性を損なわずに設計の自由度をあげることができる。また、本発明のシールド（横）４０１及びシールド（上）４０３、シールド（下）４０５にはビス締結形状を設ける必要が無く、シールドユニットの簡素化を図れる。そして、爪形状部４０２と固定用溝部４０４、４０６を所定間隔毎に多列に配置する場合、電気的なアースの間隔を小さく構成でき、シールドユニットとしての電気的な安定化が図れ、電磁波の影響を低減することができる。
【００２０】
なお、爪部４０２及び溝部４０４及び４０６の形状は上記と他の任意の構成として良い。また、シールド（横）４０１及びシールド（上）４０３、シールド（下）４０５の形状は上記と他の任意の構成として良い。また、シールド（上）４０３及びシールド（下）４０５へのシールド（横）４０１の爪形状による取付け位置は、上記以外の任意の位置として良い。
【００２１】
（実施の形態２）
図５は、本実施の形態におけるシールドユニットの組立て時のプラズマディスプレイテレビの構成を示す。図５（ａ）は上面から見た部品取り付け図、図５（ｂ）は上面図、図５（ｃ）は背面図、図５（ｄ）は側面図、図５（ｅ）は側面から見た部品取り付け図である。また、実施の形態１と同じ部位は同じ番号を付し同様のものとし、重複する説明は適宜省略する。
【００２２】
本実施の形態におけるシールド（上）４０３には、固体の内側に複数備えた爪形状部５０４を、ベース２０２の固定用梁部５０３に挿入し取付け、ビス２０５にてシールド（下）４０５のボス部５０５に締結する構成とした。
【００２３】
上記構成により、本実施の形態１の効果に加え、本発明のシールドユニット５０２を任意の位置に固定することができ、プラズマディスプレイ装置の簡素化が図れる。
【００２４】
なお、爪形状部５０４及び固定用梁部５０３の形状は上記と他の任意の構成として良い。また、固定用梁部５０３への爪形状部５０４による取付け位置は、上記以外の任意の位置として良い。
【００２５】
（実施の形態３）
図６は、本実施の形態におけるシールドユニットの組立て時のプラズマディスプレイテレビの構成を示す。図６（ａ）は上面から見た部品取り付け図、図６（ｂ）は上面図、図６（ｃ）は背面図、図６（ｄ）は側面図、図６（ｅ）は側面から見た部品取り付け図、図６（ｆ）は下面から見た断面図である。また、図７は本実施の形態におけるシールドユニットの構成を示す。図７（ａ）はシールドユニットの側面図、図７（ｂ）はシールドユニットの側面から見た部品取り付け図である。また、実施の形態１及び２と同じ部位は同じ番号を付し同様のものとし、重複する説明は適宜省略する。
【００２６】
本実施の形態における後カバー１０３をビス２０５にて、ベース２０２を通過してシールド（上）４０３に設けたボス部６０２に固定し、同じくブラケット２０４に設けたボス部６０１とシールド（下）４０５に設けたボス部５０５に、ビス２０５にて後カバー１０３とシールド（底）６０３を締結する構造とした。
【００２７】
上記構成により本発明の回路ユニット２０６及びシールドユニット５０２、後カバー１０３及びシールド（底）６０３のシールド間の導電を確実とし、且つビスによる締結を最少にする。また、ブラケット２０４にボス部６０１を設け、後カバー１０３やシールド（下）４０５に設けたボス部５０５及びシールド（底）６０３とビス締結することにより、運搬時に、最も負荷のかかるプラズマディスプレイ装置の底面部の強度向上を図る。
【００２８】
なお、シールド（上）４０３及びブラケット２０４、シールド（下）４０５へのビス２０５による取付け位置は、上記以外の任意の位置として良い。
【００２９】
（実施の形態４）
図８は、本実施の形態におけるシールドユニットに前カバー取り付け時のプラズマディスプレイテレビの構成を示す。図８（ａ）は側面から見た部品取り付け図、図８（ｂ）は側面図、図８（ｃ）は上面から見た部品取り付け図、図８（ｄ）は上面図、図８（ｅ）は上面図、図８（ｆ）は正面図である。また、実施の形態１、２及び３と同じ部位は同じ番号を付し同様のものとし、重複する説明は適宜省略する。
【００３０】
前カバー１０１に設けた爪部８０１を、後カバー１０３に弾接固定する構造とした。
【００３１】
上記構成により、従来（図１５及び１６参照）の前カバー１０１に設けられた締結用ボス部との共締め構造によって生じていた締結用ボス部による意匠制約を受けない為、シールドユニットと前カバー１０１を独立して設計でき、設計変更についても前カバー１０１のみを新作すれば対応可能となり、大幅に開発費用と期間を短縮する。また、従来（図１５及び１６参照）の締結用別部材との共締め構造によって生じていた前記締結用別部材による制約を受けない為、映像を映し出す発光パネル以上の大きさに、映像を透過させ電磁波を遮断する前ガラスを保持する金属性の枠を構成するシールド（横）４０３及びシールド（上）４０３及びシールド（下）４０５及びシールド（底）６０３等を拡大でき、前カバーの開口範囲を広げ、設計の自由度があがる。
【００３２】
なお、爪形状部８０１を弾接固定する位置は後カバー１０３の上記位置の他に、シールド（横）４０３及びシールド（上）４０３及びシールド（下）４０５及びシールド（底）６０３等任意の位置として良い。また、爪形状部８０１の後カバー１０３への取付け形状は、上記以外の任意の形状として良い。
【００３３】
（実施の形態５）
図９は、本実施の形態におけるシールドユニットが拡大した場合のプラズマディスプレイテレビの構成を示す。図９（ａ）は上面図、図９（ｂ）は側面図、図９（ｃ）は正面図である。また、実施の形態１、２、３及び４と同じ部位は同じ番号を付し同様のものとし、重複する説明は適宜省略する。
【００３４】
本実施の形態におけるシールドユニットの拡大によるプラズマディスプレイテレビの剛性の低下を、ブラケットをブラケット（大）９０１のように大型化することにより対応する構造とした。
【００３５】
上記構成により、シールドの拡大においてもプラズマディスプレイ装置の剛性を損なわない。
【００３６】
また、図１０は、本実施の形態における前パネルの外観を示す。図１０（ａ）は上面から見た時の前ガラスと前ガラスの端の拡大した図、図１０（ｂ）は側面から見た時の前ガラスと前ガラスの上端及び下端の拡大した図、図１０（ｃ）は正面図である。前パネル１０２表面に導電性蒸着層３０１を設け、導電性蒸着層３０１の範囲で導通させることにより、電磁波の影響を低減することができる。
【００３７】
そして、図１１は、本実施の形態の前カバーを含むシールドユニットの構成を示す。図１１（ａ）は側面から見た部品取り付け図、図１１（ｂ）は側面図、図１１（ｃ）は上面図、図１１（ｄ）は上面図、図１１（ｅ）は背面図である。また、前カバー１０１に設けられた回路ユニットとの共締め締結用ボス部１１０１前側に金型スライド部１１０２を設け、前ガラス１０２及びシールド（上）４０３を差し込み弾接固定し、さらに前カバー１０１に設けた爪部８０１を、シールド（横）４０３及びシールド（上）４０３及びシールド（下）４０５に弾接固定することにより前パネル１０２とシールド（横）４０１及びシールド（上）４０３、シールド（下）４０５を導通させシールドユニットを一体的に連繁した構成とした。
【００３８】
上記構成により、前カバー１０１及びシールド（横）４０１及びシールド（上）４０３、シールド（下）４０５にはビス締結形状を設ける必要が無く、シールドユニットの簡素化を図れる。そして、爪形状部８０１と金型スライド部１１０２を所定間隔毎に多列に配置する場合、電気的なアースの間隔を小さく構成でき、シールドユニットとしての電気的な安定化が図れ、シールド効果が向上し、プラズマディスプレイ装置の簡素化ができる。
【００３９】
なお、ボス部１１０１及び金型スライド部１１０２と、前ガラス１０２及びシールド（上）４０３の差し込み位置は上記位置の他に、任意の位置として良い。また、ボス部１１０１及び金型スライド部１１０２と、前ガラス１０２及びシールド（上）４０３の差し込み形状は上記形状の他に、任意の形状として良い。また、爪形状部８０１を弾接固定する位置はシールド（横）４０３及びシールド（上）４０３及びシールド（下）４０５の上記位置の他に、任意の位置として良い。また、爪形状部８０１のシールド（横）４０３及びシールド（上）４０３及びシールド（下）４０５への取付け形状は、上記以外の任意の形状として良い。
【００４０】
（実施の形態６）
図１２及び１３は、本実施の形態におけるシールドユニットの組立て時のプラズマディスプレイテレビの構成を示す。図１２（ａ）は上面から見た部品取り付け図、図１２（ｂ）は上面図、図１２（ｃ）は背面図、図１２（ｄ）は側面図、図１２（ｅ）は側面から見た部品取り付け図である。図１３（ａ）は上面から見た部品取り付け図、図１３（ｂ）は上面図、図１３（ｃ）は背面図、図１３（ｄ）は側面図、図１３（ｅ）は側面から見た部品取り付け図、図１３（ｆ）は上面から見た断面図である。また、図１４は本実施の形態におけるシールドユニットの構成を示す。図１４（ａ）はシールドユニットの側面図、図１４（ｂ）はシールドユニットの側面から見た部品取り付け図である。また、実施の形態１、２、３、４及び５と同じ部位は同じ番号を付し同様のものとし、重複する説明は適宜省略する。
【００４１】
前カバー１０１に回路ユニットとの共締め締結用ボス部１１０１が追加され、シールドユニットの段階で組付けられている構成であり、実施例５同様の作用効果を有する。
【産業上の利用可能性】
【００４２】
本発明にかかる映像表示装置は、設計の自由度が上がり、装置の剛性が上がり、装置の簡素化及びシールド効果の向上が可能であり、プラズマディスプレイ装置等の大型ディスプレイに有用である。
【図面の簡単な説明】
【００４３】
【図１】本発明のプラズマディスプレイテレビの三面図
【図２】実施の形態１の回路ユニットとプラズマディスプレイ装置の構成図
【図３】実施の形態１の前ガラスの図
【図４】実施の形態１のシールドユニットの図
【図５】実施の形態２のシールドユニットとプラズマディスプレイ装置の図
【図６】実施の形態３のシールドユニットとプラズマディスプレイ装置の図
【図７】実施の形態３のシールドユニットの図
【図８】実施の形態４のシールドユニットとプラズマディスプレイ装置の図
【図９】実施の形態４のプラズマディスプレイ装置の図
【図１０】実施の形態５の前ガラスの図
【図１１】実施の形態５のシールドユニットの図
【図１２】実施の形態６のシールドユニットとプラズマディスプレイ装置の図
【図１３】実施の形態６のシールドユニットとプラズマディスプレイ装置の図
【図１４】実施の形態６のシールドユニットの図
【図１５】従来のプラズマディスプレイテレビの三面図
【図１６】従来のシールドユニットとプラズマディスプレイ装置の図
【図１７】従来のシールドユニットとプラズマディスプレイ装置の側面から見た上部端点の拡大図
【符号の説明】
【００４４】
１０１  前カバー
１０２  前ガラス
１０３  後カバー
２０１  発光パネル
２０２  ベース
２０３  回路基板
２０４  ブラケット
２０５  ビス
２０６  回路ユニット
２０７  台
３０１  導電性蒸着層
３０２  導電テープ
４０１  シールド（横）
４０２  爪部
４０３  シールド（上）
４０４  溝部
４０５  シールド（下）
４０６  溝部
５０１  ボス部
５０２  シールドユニット
５０３  固定用梁部
５０４  爪部
５０５  ボス部
６０１  ボス部
６０２  ボス部
６０３  シールド（底）
８０１  爪部
８０２  スピーカー用孔部
８０３  スピーカー
９０１  ブラケット（大）
１１０１  ボス部
１１０２  金型スライド部
【図１】
2005331815.tif 000003
【図２】
2005331815.tif 000004
【図３】
2005331815.tif 000005
【図４】
2005331815.tif 000006
【図５】
2005331815.tif 000007
【図６】
2005331815.tif 000008
【図７】
2005331815.tif 000009
【図８】
2005331815.tif 000010
【図９】
2005331815.tif 000011
【図１０】
2005331815.tif 000012
【図１１】
2005331815.tif 000013
【図１２】
2005331815.tif 000014
【図１３】
2005331815.tif 000015
【図１４】
2005331815.tif 000016
【図１５】
2005331815.tif 000017
【図１６】
2005331815.tif 000018
【図１７】
2005331815.tif 000019